(57)【要約】【課題】  本発明は循環ファン排気風力によるカバーの自動開閉機能を有したレンシ゛フート゛付き高周波加熱装置に関するもので、循環ファン動作に合わせて開閉動作を行うカバー開閉をモーター駆動を利用することなく簡単な構成で円滑に安定した開閉動作を実現すること。【解決手段】  排気風を受けるレバー８と保持部26とバネ９とスイッチ10を備え循環ファン排気風力を利用して円滑な開閉動作を行い、またカバー１の開閉異常をスイッチ10動作で検知し表示部24に異常表示することで、開閉異常を使用者にいち早く伝え部品の故障を未然に防ぐことができるので、安全性や異常動作時の部品品質保証改善や顧客満足度向上が実現できる。【選択図】  図２
2005083693.tif 000002
【特許請求の範囲】
【請求項１】
排気のための開口部と、前記開口部を覆うカバーとを有したレンジフード付き高周波加熱装置において、
被加熱物を収納する加熱室と、
前記カバーを循環ファン動作時に風力を受けてカバーを押し出す手段と、
前記カバーを閉めるための押し付け手段とを備え、
前記押し出し手段は、循環ファンの風力を受けて移動可能な構成としたレンジフード付き高周波加熱装置。
【請求項２】
排気のための開口部と、前記開口部を覆うカバーとを有したレンジフード付き高周波加熱装置において、
被加熱物を収納する加熱室と、
前記カバーを循環ファン動作時に風力を受けてカバーを押し出す手段と、
前記カバーを閉めるための押し付け手段とを備え、
カバーを押し出す手段は、循環ファンの風力を受ける風受け部と前記カバーを押して開ける突き出し部と前記突き出し部を保持する保持部を有し、
前記突き出し部は、前記風受け部に循環ファンの風力を受けて移動可能な構成としたレンジフード付き高周波加熱装置。
【請求項３】
保持部にスリットを設けその一端を絞る形状とし、突き出し部側を前記スリットの絞りに合わせてスライドするように一端を絞った構成とした請求項２に記載のレンジフード付き高周波加熱装置。
【請求項４】
突き出し部の絞り形状を円錐型の構成とした請求項４に記載のレンジフード付き高周波加熱装置。
【請求項５】
前記カバーを閉めるための押し付け手段は、カバー両端部に配設する構成とした請求項１または２に記載のレンジフード付き高周波加熱装置。
【請求項６】
循環ファン動作中に何らかの要因により強制的にカバーが閉じられた時、レバーの一部がスイッチを押すことで循環ファン動作を停止する構成とした請求項１及び２に記載のレンジフード付き高周波加熱装置。
【請求項７】
循環ファン動作中に何らかの要因により強制的にカバーが閉じられた時、レバーの一部がスイッチを押すことで循環ファン動作を停止したことを本体機器表示部に異常表示を行う構成とした請求項７に記載のレンジフード付き高周波加熱装置。
【発明の詳細な説明】
【技術分野】
【０００１】
本発明は、機器本体の下方に設置された他の加熱調理装置から発生する生成ガスを換気する機能を有し、前記生成ガスを機器本体から排気する排気口に備えた排気口カバーを循環ファンの排気風力により自動開閉する構成のレンジフード付き高周波加熱装置に関するものである。
【背景技術】
【０００２】
従来、排気口カバーは循環ファンとしての室内換気の必要性や、高周波加熱装置動作時の発熱部品冷却のための吸気口確保の必要性が生じた時に自動開閉を行い高い開口率を確保できるほか、非動作時には閉じた状態でフラットな外観を保つことができデザイン性向上やほこりやちりの侵入を防ぐことができる（たとえば、特許文献１参照）。
【０００３】
たとえば、その排気口カバーの開閉は回転方向を規制出来るステップモーターの動作を利用した機械的手段のみで構成されるものが主流であった。
【０００４】
図３は、従来構成の機器の排気口カバーの開閉を示すものである。
【０００５】
排気口カバー１と、自動開閉のためのモーター２と、モーター軸の回転をモーメントに変換するカム３と、カムと連結する部品に動力を伝えるためのカムに備えられたボス３−ａと、カムの回転運動を受ける排気カバーを構成する部品４と、カムに備えられたボスと連結する排気カバー構成部品のスリット４ａと、排気口カバーの回転軸５と、排気開口部６と、機器から排気される排気風７とから構成される。
【特許文献１】ＵＳＰ６３３５５２１号公報
【発明の開示】
【発明が解決しようとする課題】
【０００６】
しかしながら前記従来の構成では排気口カバー部分とモーター軸部分とを一体となる形で連結する構成であり、カムに備えられているボスの一点にモ−ターの駆動力が全て加わるため力の伝達方向に無理を生じ連結稼動部分の耐久性が損なわれ信頼性確保が困難であったり、開閉頻度の大変多い排気口カバーにステップ(回転方向規制)モーターを使用するためにモーター自身の品質確保が困難であったり、また排気口カバーに外部から強制的な力を加え無理やり開閉を行った場合、一体化した連結構成のためにその力が過負荷としてモーターに直接伝わってしまいモーター故障の要因となるような製品品質上の課題や、モーターを使った制御のため高コスト構成である課題があった。
【０００７】
本発明は、前記従来の課題を解決するもので、簡単な構成で安定した品質確保の実現や、コストパフォーマンスに優れた顧客満足度の高いレンジフード付き高周波加熱装置を提供することを目的とする。
【課題を解決するための手段】
【０００８】
前記従来の課題を解決するために、本発明の循環ファン風力を利用した排気口カバーの自動開閉機能を備えたレンジフード付き高周波加熱装置は、循環ファン動作時にレバーの一部がその排気風を受けてカバーを押し出すことでカバーを開放する構成とし、一方循環ファン動作終了時には押し付け手段によってカバーを閉じる構成とする。
【０００９】
またカバーが閉じられた時マイクロスイッチが動作するように配することでカバー開閉異常を自己診断し、循環ファン動作を停止したりそれを本体表示部に表示することで使用者に異常を知らせることが可能となり、カバー開閉動作異常の即時発見による循環ファンの故障防止が可能となり、簡単な構成で品質向上やコストを大幅に改善することを可能としたものである。
【００１０】
これによって、モーター駆動を利用することなく排気風の風力によってカバー開閉を可能とし円滑な開閉運動、耐久性能及び品質安定性能の大幅な向上が可能となる。
【発明の効果】
【００１１】
本発明によれば、簡単な構成で円滑な安定した開閉動作を可能にし、安全性や外観品位の優れたレンジフード付高周波加熱装置が実現できる。
【発明を実施するための最良の形態】
【００１２】
第１の発明は、機器上部循環ファン排気口に備えられた通常時閉じられている状態の排気口カバーをモーター動力なしに循環ファンからの排気風を利用してカバー開閉を行う機構であり、循環ファンからの排気風を受けたレバーが移動することでレバーを押し出しカバーの開放動作が実現できる。
【００１３】
第２の発明は、カバーを押し出す手段は循環ファンからの排気風力を受ける部分によって動力を得て、保持部分によってカバーを押し出すための安定した移動を可能にし、その突き出し部分でカバーを押し開けることが実現できる。
【００１４】
第３の発明は、保持部に一端を絞る形状としたスリットを設け、押し出す手段の突き出し部側を前記スリットの絞り形状に合わせてスライドできるように一端を絞った形状を有することでカバーが開放最大角度を維持したままでの排気風力に応じた押し出し手段の移動範囲を確保することが可能となり、一定でない排気風力においてもカバーの開閉最大角度を安定維持することが実現できる。
【００１５】
第４の発明は、突き出し部の絞り形状を円錐型とすることで保持部に設けたスリット内での移動を円滑にすることが可能となり、排気風力を受けた押し出し手段の円滑な運動が実現できる。
【００１６】
第５の発明は、前記カバーを閉じるための押し付け手段をカバー両端部近傍に配設させることで、カバー中央部付近に位置する押し出し手段との双方向のバランスを常時保つことができ、幅の広いカバーにゆがみやねじれによる隙間を生じさせることなく安定したカバーの開閉が実現できる。
【００１７】
第６の発明は、循環ファン動作中に何らかの外的要因でカバーが閉じられた時、マイクロスイッチが動作し循環間ファン動作を停止させることで、排気口閉鎖状態によってモーターが過負荷状態となる循環ファンの過熱故障を未然に防ぐことが可能となり、品質の安定した開閉機構が実現できる。
【００１８】
第７の発明は、循環ファン動作中に何らかの外的要因でカバーが閉じられた時、循環ファンモーターが動作を継続すれば過負荷状態となり過熱による故障に至るが、カバーと連動動作するレバーの一部がスイッチを動作させることでマイコン制御部が機器表示部に図８に示すように“CHECK  GRILL”とか“GRILL  MALFUNCTION”などの開閉異常状態を表示し使用者に容易に異常個所を知らせることが可能となり、異常状態の早期発見によって故障の最小限化や部品サービス性の向上が実現できる。
【００１９】
（実施の形態１）
図１は、本発明の第１の実施の形態における自動開閉装置を備えた排気口カバーを有するレンジフード付高周波加熱装置の設置状態を示す図である。
【００２０】
図４は、自動開閉機構を備えた排気口カバーの構造を従来例との比較において示す図である。
【００２１】
図５は、本発明の排気口カバーの自動開閉構造を示す図である。
【００２２】
図６は、不安定な風量においても安定した排気カバーの開放角度維持が実現できる本発明の構造原理を示す図である。
【００２３】
図７は、排気口カバーの開閉異常を本体表示部に示す一例を表す図である。
【００２４】
図１において、下方に設置した調理機器１３での調理時に生成されたガス１４は循環ファン１１によって底面部吸気口１２から吸い上げられ、その排気風力によって自動開放された排気口カバー１の開口部から室内に排気循環される構成となっている。
【００２５】
以上のように構成された自動開閉装置を備えた排気口カバー１を有するレンジフード付高周波加熱装置について、以下にその動作、作用を説明する。
【００２６】
まず、本実施の形態において図５に示すように、機器上部循環ファン排気口６に備えられた通常時閉じられている状態の排気口カバー１は循環ファン動作によるMax.300CFMレベルもの強い排気風力でレバー８の一部に配した風受け部分を押し出すことで開放する。また、循環ファン停止時にはレバー８は排気風からの押し出す力を失い本体機器とカバー１を連結するように取り付けられたバネ９の押し付け力によってカバー１は押し戻され、カバー１の一部がマイクロスイッチを動作しカバー１は完全に閉じられる。
【００２７】
また、図６において、循環ファン１１からの排気風７を受けたレバー８は押し出されてカバー１を押し開ける方向に移動するが、カバー１を最大角度に押し開けた時レバー８の絞り形状が保持部のスリット２７と勘合する。更にレバー８は排気風７を受けカバー１を押し出す方向に移動しようとする力を受けるがY-Y’断面図に示すようにレバー８の絞り形状は保持部の一端を絞ったスリット２７の形状に沿って上方に押し出される。ここで押し出されるレバー８はカバー１の傾斜に沿って移動するためにレバー８は押し出されるがカバー１は開放最大角度を維持したままの位置で静止することが出来る。
【００２８】
これによって一定でない排気風力でもレバー８の絞り形状の部分が保持部の一端を絞ったスリット２７を上方に移動する間はカバー１の最大開放角度を維持することが可能となり、排気風力が変化してもカバーのばたつきを防止し開閉最大角度を安定維持することが実現できる。
【００２９】
また、図４に示すように、排気口カバー１を排気風による自動開閉とすることで非動作時には排気口を塞ぎ必要時のみ開閉することが出来、外部からのごみやほこりの進入を防ぎ機器内部の衛生度を向上したり、排気口開口部の根詰まりを防ぐことができる。
【００３０】
（実施の形態２）
図７は、本発明の実施の形態におけるカバー開閉異常時の機器本体表示部２４における表示例を示すものである。
【００３１】
図７において、調理中に何らかの外的要因でカバーが閉じられた時、スイッチ１０が動作することでその信号をマイコン制御部２３が読取り循環ファン動作を停止すると同時に、機器本体表示部２４に“CHECK  GRILL”や“GRILL  MALFUNCTION”などの開閉異常状態を表示することで使用者に異常個所を即座に知らせることが可能となり、循環ファンモーター１１の故障を未然に防ぐばかりでなく、異常個所を使用者に知らせることができ品質向上やサービス性向上を実現できる。
【産業上の利用可能性】
【００３２】
以上のように、本発明にかかるレンジフード付高周波加熱装置は、簡単な構成で円滑な安定した開閉動作を可能にし、安全性や異常動作時の部品品質保証改善や外観品位の優れた開閉手段が可能となるので、モーター駆動を利用しない自動開閉する構成等の用途にも適用できる。
【図面の簡単な説明】
【００３３】
【図１】本発明の実施の形態１における排気口カバーを備えたレンジフード付高周波加熱装置の設置状態を示す断面図
【図２】本発明の実施の形態１における排気口カバーを備えたレンジフード付高周波加熱装置の内部構造を示す図
【図３】従来例のレンジフード付き高周波加熱装置に備えられたモーター駆動力による排気口カバー自動開閉装置の構造断面図（ａ）カバー閉状態を示す断面図（ｂ）カバー開状態を示す断面図
【図４】自動開閉機構を有した排気口カバーの構造を従来例との比較において示す図（ａ）本発明の実施の形態１における排気口カバーの構造断面図（ｂ）従来の排気口カバーの構造断面図
【図５】本発明の実施例における排気口カバーの自動開閉構造を示す断面図（ａ）カバー閉状態を示す断面図（ｂ）カバー開状態を示す断面図
【図６】不安定な風量においても安定した排気カバーの開閉角度維持が実現できる本発明の構造原理を示す図（ａ）本発明の実施の形態１における排気口カバーの構造断面図（ｂ）Ｙ−Ｙ’の構造断面図
【図７】本発明の排気口カバー開閉異常を本体表示部に示す一例を表す図
【符号の説明】
【００３４】
１  排気口カバー
４  排気カバー金具
４ａ  排気カバーのスリット
６  循環ファン排気開口部
７  排気風
８  レバー
９  バネ
１０  マイクロスイッチ
１１  循環ファンモーター
１２  底面部吸気口
１３  下方調理機器
１４  調理生成ガス
１８  加熱室
１９  加熱手段
２３  マイコン制御部
２４  機器本体表示部
２５  冷却手段
２６  保持部
２７  一端を絞った形状の保持部のスリット
【図１】
2005083693.tif 000003
【図２】
2005083693.tif 000004
【図３】
2005083693.tif 000005
【図４】
2005083693.tif 000006
【図５】
2005083693.tif 000007
【図６】
2005083693.tif 000008
【図７】
2005083693.tif 000009